(57)【要約】【課題】着用者の顔面ないし頭部にフィットすると共に、外れてしまったときにも容易に再装着可能なフェイスガードを提供すること。【解決手段】着用者の顔面、前頭部及び側頭部を保護する主保護部と、後頭部を保護する副保護部と、当該主保護部及び副保護部を連結して固定する固定手段を備え、前記主保護部及び副保護部は、少なくともこれらの内側面において伸縮性を有する一枚生地を型抜きして形成した表皮を具備し、少なくとも外側面において適宜の固着構造により前記固定手段と固着されるようにした。【選択図】図３
0003152287.tif 000002
【実用新案登録請求の範囲】
【請求項１】
着用者の顔面、前頭部及び側頭部を保護する主保護部と、後頭部を保護する副保護部と、当該主保護部及び副保護部を連結して固定する固定手段を備え、前記主保護部及び副保護部は、少なくともこれらの内側面において伸縮性を有する一枚生地を型抜きして形成した表皮を具備し、少なくとも外側面において適宜の固着構造により前記固定手段と固着されるようにしたことを特徴とするフェイスガード。
【請求項２】
前記固着構造は、主保護材及び副保護材の外側面と前記固定手段が有する面ファスナ構造による請求項１のフェイスガード。
【請求項３】
前記生地は、クロロプレンゴムを有してなる請求項１または２のフェイスガード。
【考案の詳細な説明】
【技術分野】
【０００１】
本考案は、主として拳法、武道その他の護身術ないし逮捕術又は格闘技等（以下「拳法等」という。）に用いるフェイスガードに関し、より詳しくは、着用者の顔面に確実にフィットして外れ難く、不意に外れたときにも簡単に装着し直すことができるフェイスガードに関する。
【背景技術】
【０００２】
拳法等の試合や練習に際しては、競技者の顔面ないし頭部を保護する目的でフェイスガード等のプロテクターの着用が推奨され、又は義務付けられている。
【０００３】
拳法等は、人がその手足や頭部により又は武具等を用いて他人を殴打し、突き、蹴り、投げ又は固めたりして実践されるものであるから、顔面及び頭部をはじめ拳、肘、膝、脛、足首及び急所その他身体のあらゆる重要箇所に対して、これを損傷することのないよう十分に防具を施して訓練に臨む必要がある。
【０００４】
特に、顔面及び頭部は、目、鼻、耳、脳などヒトの生命活動にとって極めて重要な感覚器系及び神経系が集結する部位であり、これに加わる損傷が最大限喰止められるべきであることは明白であるが、不幸にも競技者等が大きな怪我を負い、最悪の場合には死に到るといった事故が依然として後を絶たない。
【０００５】
もともと防具は、まずはじめに武器や兵器の進化があり、これを受けて当該武器等を用いた攻撃から自己の身体を護るために発達した道具であって、古くは布や皮革を加工したものに始まり、金属やプラスチック等の加工技術が進歩するにつれて外殻或いは芯材に硬質材を用いるものも発案されるに到った。
【０００６】
拳法や武道に用いるプロテクターの分野においても、近時は金属等に拠り頑強に構成された保護構造を有する部材と、布袋に綿材を封入したクッション材を備えてなるものが提案され実用されている。
【０００７】
ところが、これらの布・皮革製の防具又は硬質材を備えてなる防具は、いずれもその着用に際して、着用者の顔面及び頭部の形状に完全に適合し得るものではなかった。
【０００８】
すなわち布・皮革製の防具の場合、殊にフェイスガードにあっては、例えば着用時に着用者頭部や顔面にフェイスガードを当てがってこれに備わる紐等の結束部材を締上げ装着するものであるところ、競技中に外れないようきつく縛れば装着箇所を鬱血させ、逆に余裕をもって結束すれば簡単に外れてしまうこととなるため、いずれにしても競技者の身体を危険に晒すことには変わりがないとの欠陥を指摘されていた。
【０００９】
硬質材を備える防具についても、硬質材を採用する芯材や外殻体等の存在により防具自体が必然的にある一定の形状や大きさに特定されてしまうことから、着用者頭部ないし顔面の大小、長短及び広狭等により着用者に不要な圧迫を与え又は間隙を生じ、同様に危険を排除できないといった不具合を残している。
【００１０】
しかも、従来の防具においては、競技中に受けた衝撃等からこれが一度着用箇所から離脱してしまうと、再度装着するのに相応の手間と時間を要し、このため競技自体が中断を強いられる場合もあった。
【考案の概要】
【考案が解決しようとする課題】
【００１１】
そこで本考案は、着用者の顔面ないし頭部にフィットすると共に、外れてしまったときにも容易に再装着可能なフェイスガードを提供することを課題とする。
【課題を解決するための手段】
【００１２】
上記の課題を解決することを目的としてなされた本考案フェイスガードの構成は、着用者の顔面、前頭部及び側頭部を保護する主保護部と、後頭部を保護する副保護部と、当該主保護部及び副保護部を連結して固定する固定手段を備え、前記主保護部及び副保護部は、少なくともこれらの内側面において伸縮性を有する一枚生地を型抜きして形成した表皮を具備し、少なくとも外側表皮面において適宜の固着構造により前記固定手段と固着されるようにしたことを特徴とするものである。
【００１３】
上記本考案フェイスガードにおける固着構造は、主保護材及び副保護材の外側面と前記固定手段が有する面ファスナ構造によるものとして構成するのが望ましい。
【００１４】
また本考案フェイスガードにおける前記生地は、クロロプレンゴムを素材として構成するのが望ましい。
【考案の効果】
【００１５】
本考案フェイスガードは、主保護部及び副保護部の少なくとも内側面が伸縮性を有する生地を素材として構成されているため、着用者の頭部等形状を問わず適度な強さで柔軟にフィットすることができる。
【００１６】
また本考案フェイスガードは、一枚生地の型抜きにより形成されており、保護部内側面にある縫合の継ぎ目が擦れて着用者の皮膚に苦痛を与えることもない。
【００１７】
さらに本考案フェイスガードにおいては、面ファスナ構造により主・副保護部と固定手段を絡着することができるため、簡易にかつ一発で装着することが可能であり、不意に外れたときにも直ちに再装着できるので、競技が一旦中断を強いられるといった不具合についても解消できるようになる。
【図面の簡単な説明】
【００１８】
【図１】本考案フェイスガードの主保護部を例示する斜視図。
【図２】本考案フェイスガードの副保護部を例示する斜視図。
【図３】本考案フェイスガードの主・副保護部及び固定手段を固着した状態を例示する右側面図。
【図４】本考案フェイスガードの主保護部の型紙の形状を例示する平面図。
【図５】本考案フェイスガードの副保護部の型紙の形状を例示する平面図。
【考案を実施するための形態】
【００１９】
以下、本考案の実施の形態例を図により、説明する。
【００２０】
図1〜図3において、1は本考案フェイスガードであって、着用者の顔面、前頭部及び側頭部を保護する主保護部Mと、後頭部を保護する副保護部Sと、主保護部M及び副保護部Sを連結して固定する固定手段Fとを備えてなる。
【００２１】
主保護部M及び副保護部Sは、少なくともこれらの内側面M1及びS1において伸縮性を有する一枚生地を型抜きして形成した表皮を具備してなるものである。
【００２２】
また主保護部M及び副保護部Sは、少なくとも外側面M2及びS2において面ファスナー構造によって固定手段Fと絡着することができるよう適宜のニット生地によって構成されている。
【実施例】
【００２３】
主保護部M及び副保護部Sは、耐候性、耐熱性、耐油性及び耐薬品性において天然ゴム等よりも優れており、また加工も容易であることから、いずれもクロロプレンゴムを素材として、あらゆる方向に適当な伸縮性を有する生地を、たとえば図4及び図5に示すような形状に型抜きし、内側面M1及びS1の表皮として構成している。なお、M3は主保護部Mの着用者の耳に対応する位置に形成した通音孔である。
【００２４】
これにより、着用者の頭部等の形状に拘わらず程よい強さでフェイスガードを装着できるようになることから、きつく縛り上げることによって装着箇所を鬱血させ、あるいは逆に緩く縛ることにより簡単に外れてしまい、競技者の身体を危険に晒すといった弊害を効果的に防止できることとなる。
【００２５】
また、主保護部M及び副保護部Sと固定手段Fは面ファスナー構造によって絡着固定されており、これらを剥着するのみで簡易かつ即座に着用者頭部に本考案フェイスガードを装着することができるようになる。
【００２６】
仮に競技中外れてしまった場合でも、面ファスナー構造によれば直ぐに再装着できるので、長時間に亘って競技を中断する必要もなくなる。
【産業上の利用可能性】
【００２７】
本考案は以上の通りであって、主保護部及び副保護部の少なくとも内側面が伸縮性を有する生地を素材として構成されているため、着用者の頭部等形状を問わず適度な強さで柔軟にフィットすることができ、また一枚生地の型抜きにより形成されているので、保護部内側面にある縫合の継ぎ目が擦れて着用者の皮膚に苦痛を与えることもなく、さらに面ファスナ構造により主・副保護部と固定手段を絡着することができるため、簡易にかつ一発で装着することが可能であり、不意に外れたときにも直ちに再装着できるので、競技が一旦中断を強いられるといった不具合についても解消できるとの効果を有するから、拳法等のフェイスガードに適用してきわめて有用である。
【符号の説明】
【００２８】
１    本考案フェイスガード
Ｍ    主保護部
Ｓ    副保護部
M1    主保護部内側面
M2    主保護部外側面
M3    通音孔
S1    副保護部内側面
S2    副保護部外側面
Ｆ    固定手段
【図１】
0003152287.tif 000003
【図２】
0003152287.tif 000004
【図３】
0003152287.tif 000005
【図４】
0003152287.tif 000006
【図５】
0003152287.tif 000007